(57)【要約】      （修正有）【課題】空気が抜けることで沈没したり使用者の身体にからみつくことがない浮舟を提供する。【解決手段】発泡樹脂製の浮力体と、該浮力体を内部空間に収容し保持する保持体と、を有する浮き部を備える浮舟である。該保持体が、該浮力体を該内部空間に出し入れ可能な開口３３と、該開口の該浮力体の通過を禁止及び許容する開閉手段と、を有するものであってもよい。１の保持体の内部空間に複数の前記浮力体が収容されるものであってもよい。前記保持体が、前記開閉手段を前記保持体の外側から覆う開閉手段カバー部を有するものであってもよい。前記浮力体の表面を被覆する被覆層を有するものであってもよい。【選択図】図１
2014218177.tif 000002
【特許請求の範囲】
【請求項１】
発泡樹脂製の浮力体と、該浮力体を内部空間に収容し保持する保持体と、を有する浮き部を備える浮舟。
【請求項２】
前記保持体が、前記浮力体を前記内部空間に出し入れ可能な開口と、該開口の該浮力体の通過を禁止及び許容する開閉手段と、を有するものである、請求項１に記載の浮舟。
【請求項３】
１の保持体の内部空間に複数の前記浮力体が収容されるものである、請求項２に記載の浮舟。
【請求項４】
前記保持体が、前記開閉手段を前記保持体の外側から覆う開閉手段カバー部を有するものである、請求項２又は３に記載の浮舟。
【請求項５】
前記浮力体の表面を被覆する被覆層を有するものである、請求項１乃至４のいずれか１に記載の浮舟。
【請求項６】
前記保持体が布製の袋体である、請求項１乃至５のいずれか１に記載の浮舟。
【請求項７】
前記浮舟を水面に浮かべた場合、使用者が両脚を水中に潜入させた状態で該使用者が腰掛けることができる座部を備えるものである、請求項１乃至６のいずれか１に記載の浮舟。
【請求項８】
前記座部に腰掛けた使用者の胴体内にて互いに直交する水面に平行な２の直線であって、該２の直線の一方の直線が該使用者を通過する両側部分とも前記浮力体を貫通すると共に、該２の直線の他方の直線が該使用者を通過する両側部分とも前記浮力体を貫通するものである該２の直線が存するものである、請求項７に記載の浮舟。
【請求項９】
前記座部に腰掛けた使用者の腹部又は胸部の前側に前記浮力体が配設されるものである、請求項７又は８に記載の浮舟。
【請求項１０】
前記保持体が貫通孔を取り囲むようドーナツ状に形成され、前記座部が該貫通孔を横切るように設けられた帯状部材を含んでなり、腹部又は胸部を該貫通孔に貫入する使用者が該帯状部材に跨るように腰掛けるものである、請求項７乃至９のいずれか１に記載の浮舟。
【発明の詳細な説明】
【技術分野】
【０００１】
本発明は、浮舟に関し、より詳細には、魚釣りに際し魚がよく釣れる水面位置に近づくため等に用いる浮舟に関する。なお、本発明にいう浮舟とは、使用者が左右の両脚を水中に潜入させた状態（通常、足には足鰭を付け、この鰭で水をかいて移動する。）で座部に跨るようにして腰掛けて使用する所謂フローターを含む概念である。
【背景技術】
【０００２】
以前から、魚釣り等において浮舟が使用されてきた（例えば、特許文献１参照）。
特許文献１には、「近年、例えば湖水面でバス釣り等のルアーフィッシングを楽しむ際、釣り人がウエーダー（防水長靴）やフローティングベスト（ライフジャケット）やフィン（足ビレ）等を着用してフローターと呼ばれる簡易型釣り用浮舟を使用しながら自分の好きな釣り場に移動して釣りを行う」（特許文献１の段落番号０００２）ようになってきており、このフローターは「中空部を有する環状のフロート本体と、中空部のうち両足を挿通させる空間部を残して残余の空間部を覆う底布を備えており、両足を挿通させる空間部に両足を通して底布に腰掛けた姿勢になるとともにフロート本体が胴体周りに位置するような状態となって水中に入り、フロート本体の浮力で浮ながら、水中のフィンで好きな場所に移動して釣りを楽しむ」（特許文献１の段落番号０００３）ことが示されている。そして、特許文献１には、かかるフローターにおいて「ウエーダーやフローティングベストやフィン等を装着した状態でフロート本体を着用し易くなるようにし、また、置いた物が落ちにくい物品搭載設備を簡素に構成することを目的」（特許文献１の段落番号０００６）として「環状のフロート本体２の空間部Ｈに両足を挿入してフロート本体２を腰の位置にセットすると同時に底布３に腰掛け、水中に浸漬するフィン１８により好きな釣り場所に移動するようにした釣り用浮舟１において、底布３の一部に切れ目を形成してファスナ５により開閉自在にし、頭から被っても楽に装着出来るようにする。また物品搭載用のネットエプロン７を着脱自在に設け、少なくとも一部に凹所ｄが形成されるようにする」（特許文献１の要約の解決手段）ことが開示されている。
【先行技術文献】
【特許文献】
【０００３】
【特許文献１】特開２００２−２２５７８７号公報（例えば、要約、発明の詳細な説明中の段落番号０００１〜００１５、第１図、第２図等）
【発明の概要】
【発明が解決しようとする課題】
【０００４】
しかしながら特許文献１の浮舟は、「エア充気式の環状のフロート本体２」（特許文献１の段落番号００１４）の充填された空気によって浮力を得るものであるので、釣り針や木の枝の先端等がフロート本体２に刺さることで空気が抜けて沈没したり、空気が抜けることで環状のフロート本体２が使用者の身体にからみついて使用者の自由を奪う危険性もあり、このため従来の浮舟は使用者の生命へ重大な危険を及ぼすこともあった。
そこで、本発明では、空気が抜けることで沈没したり使用者の身体にからみつくことがない浮舟を提供することを目的とする。
【課題を解決するための手段】
【０００５】
本発明の浮舟（以下、「本浮舟」という）は、発泡樹脂製の浮力体と、該浮力体を内部空間に収容し保持する保持体と、を有する浮き部を備える浮舟である。
本浮舟は浮き部を備え、浮き部は浮力体と保持体とを有する。
浮力体は、少なくともかさ密度が水よりも小さい発泡樹脂製であり、このため浮力体が水中に潜入することで水と発泡樹脂との密度差によって浮力を生じる。浮力体を構成する発泡樹脂としては、発泡スチロールや発泡ウレタン等を例示することができる。
保持体は、浮力体を内部空間に収容し保持する。
このため本浮舟によれば、保持体の内部空間に浮力体が収容され保持されることにより、発泡樹脂製の浮力体によって浮力を生じることから、空気が抜けることで沈没したり使用者の身体にからみつくことがなく高い安全性を有する。そして、本浮舟において、もし発泡樹脂製の浮力体が破損しても浮力体が破損し生じた断片が保持体の内部空間に留まるようにすれば、かかる状況においても浮力を保持することができるので安全性が高い。
【０００６】
本浮舟においては、前記保持体が、前記浮力体を前記内部空間に出し入れ可能な開口と、該開口の該浮力体の通過を禁止及び許容する開閉手段と、を有するもの（以下、「開口具備本浮舟」という。）であってもよい。
ここに開閉手段は、浮力体を保持体の前記内部空間に出し入れ可能な開口を、保持体の前記内部空間と保持体の外部空間との一方から他方へ浮力体が通過することを禁止及び許容することができるものであればよいが、一例としては、スライドファスナー、ボタン、フック、面ファスナー、バックル（プラスチック製や金属製を含む）等を挙げることができる。
こうすることで、開閉手段により該開口の浮力体の通過を許容した状態（開状態）では該開口を経由して浮力体を保持体の内部空間と外部空間との一方から他方へ自由に移動させることができると共に、開閉手段により該開口の浮力体の通過を禁止した状態（閉状態）ではその状態で保持体の内部空間に存する浮力体を内部空間に確実に保持することができる。このため、本浮舟を搬送したり保管する際のように保持体の内部空間に浮力体が存しない方が嵩が小さくなって便利な際には保持体の内部空間から浮力体を取り出すと共に、本浮舟を水面に浮かべて使用する際には保持体の内部空間に浮力体を収容し保持することができ、本浮舟の使用を便ならしめる。加えて、開閉手段を開状態として該開口を経由して浮力体を保持体の内部空間に出し入れすることができるので、保持体の内部空間に収容された浮力体を劣化等に応じて容易に交換することができる。
【０００７】
開口具備本浮舟の場合、１の保持体の内部空間に複数の前記浮力体が収容されるものであってもよい。
１の保持体の内部空間に複数の浮力体が収容され保持されることにより、１の保持体の内部空間に存する浮力体個々を（１の保持体の内部空間に存する浮力体を一体の１個の浮力体のみによって構成する場合に比し）小さくすることができるので、前記開口を経由して浮力体を保持体の内部空間に容易に出し入れすることができる。このため前述のような本浮舟を搬送したり保管する際のように保持体の内部空間に浮力体が存しない方が便利な際には保持体の内部空間から浮力体を容易に取り出すと共に、本浮舟を水面に浮かべて使用する際には保持体の内部空間に浮力体を容易に収容することができる。更に、保持体の内部空間に収容された浮力体を容易に交換することができる。
そして、１の保持体の内部空間に複数の浮力体が互いの位置関係を変化可能に収容されるようにすれば、浮舟が水面に浮遊している際、一部の浮力体が上下しても、全体を一体の浮力体とする場合に比し、残りの浮力体への影響が少ないので本浮舟の姿勢を保持しやすく安全性を高めることができる。
【０００８】
開口具備本浮舟の場合、前記保持体が、前記開閉手段を前記保持体の外側から覆う開閉手段カバー部を有するものであってもよい。
こうすることで保持体の外側から開閉手段に何等かの物が衝突や摩擦しても、開閉手段の破損を防止又は減少させることができるので、本浮舟の安全性や耐久性を高めることができる。なお、開閉手段カバー部は、開閉手段の全部を保持体の外側から覆うもののみならず、開閉手段の一部を保持体の外側から覆うものであってもよい。そして、前記開口の浮力体の通過を開閉手段が禁止及び許容することを妨げないような開閉手段カバー部であることが好ましく、必要に応じて開閉手段カバー部が開閉手段を保持体の外側から覆う状態（例えば、本浮舟を水面に浮かべて使用するとき）と覆わず露出させる状態（例えば、開口を経由して浮力体を保持体の内部空間に出し入れするとき）との両状態を自由にとりうるものであってもよい。
【０００９】
本浮舟においては、前記浮力体の表面を被覆する被覆層を有するものであってもよい。
浮力体の表面を被覆する被覆層を設けることにより、浮力体が水、紫外線、埃等に直接曝されないことに加え、本浮舟が他の物と衝突したり摩擦を受けた際にも浮力体に加わる衝撃や力が和らぐので、浮力体を高信頼性や長寿命とすることができる。
被覆層としては、浮力体の表面を被覆することで浮力体の信頼性や寿命を高めるものを広く用いることができるが、例えば、日本合成化学工業株式会社製の商品名「エフレタン」（２液反応型、速硬化・無溶剤・低粘度液状ウレタン樹脂）を例示することができる。
【００１０】
本浮舟においては、前記保持体が布製の袋体であってもよい。
ここに布は本浮舟の使用において浮力体を内部空間に収容し保持するのに十分な強度と耐久性を有するものを広く用いることができるが、帆布、テント生地、ターポリン、トラックシート、ポリアミド製生地等を例示することができる。
布製の袋体を保持体とすることで、通常のプラスチックシート等によって保持体を形成するのに比し、布は穿孔や摩耗によって一部の損傷が生じても、それが広範に波及して全体が破断するような大きな損傷を引き起こしにくいことに加え、内部空間を取り囲むことができる袋体を保持体とすることで浮力体を内部空間に確実に収容し保持することができる（とりわけ発泡樹脂製の浮力体が破損することで浮力体が小さな断片となっても保持体の内部空間に保持しやすい。）ので、本浮舟の安全性や耐久性を一層高めることができる。
【００１１】
本浮舟においては、前記浮舟を水面に浮かべた場合、使用者が両脚を水中に潜入させた状態で該使用者が腰掛けることができる座部を備えるもの（以下、「座部具備本浮舟」という。）であってもよい。
本浮舟を水面に浮かべた場合、使用者が両脚を水中に潜入させた状態で該使用者が腰掛けることができる座部を本浮舟が備えるので、これまで空気充填により浮力を得る従来のフロータ等のような浮舟を本浮舟として構成することができ、それによってこれまで空気充填により浮力を得ていた浮舟（従来のフロータ等）において、空気抜けによる危険性（上述の如く、浮舟が沈没したり使用者の身体にからみつく等）を回避すると共に空気充填作業の繁雑さを解消できる。
【００１２】
座部具備本浮舟の場合、前記座部に腰掛けた使用者の胴体内にて互いに直交する水面に平行な２の直線であって、該２の直線の一方の直線が該使用者を通過する両側部分とも前記浮力体を貫通すると共に、該２の直線の他方の直線が該使用者を通過する両側部分とも前記浮力体を貫通するものである該２の直線が存するものであってもよい。
該２の直線の一方の直線が該２の直線の交点（使用者胴体内に存する）によって第１部分と第２部分とに分割され、第１部分が前記浮力体を貫通すると共に第２部分が前記浮力体を貫通する（即ち、該一方の直線が該使用者を通過する両側部分（第１部分と第２部分）とも前記浮力体を貫通する。）。更に、該２の直線の他方の直線が該２の直線の交点（使用者胴体内に存する）によって第３部分と第４部分とに分割され、第３部分が前記浮力体を貫通すると共に第４部分が前記浮力体を貫通する（即ち、該他方の直線が該使用者を通過する両側部分（第３部分と第４部分）とも前記浮力体を貫通する。）。
こうすることで座部に腰掛けた使用者の周りの少なくとも９０度毎に浮力体が配設されるので、使用者の周りのどの方向へも傾いたり倒れたりしにくく、安定性、安全性及び安心感を高めることができる。
【００１３】
座部具備本浮舟の場合、前記座部に腰掛けた使用者の腹部又は胸部の前側に前記浮力体が配設されるものであってもよい。
このように座部に腰掛けた使用者の腹部又は胸部に面するよう使用者の前側（座部に腰掛けた使用者が認識する前側）に浮力体が存することで、座部に腰掛けた使用者が前側に存する浮力体に体重をあずけて休む（例えば、前側に存する浮力体に使用者が腕を置いたり上半身を伏して休む）ことができることにより本浮舟の使用快適性を向上させ、さらに本浮舟が転覆等しそうなときにも即座に浮力体を保持することができ安全性を高めることができる。
【００１４】
座部具備本浮舟の場合、前記保持体が貫通孔を取り囲むようドーナツ状に形成され、前記座部が該貫通孔を横切るように設けられた帯状部材を含んでなり、腹部又は胸部を該貫通孔に貫入する使用者が該帯状部材に跨るように腰掛けるものであってもよい。
こうすることで座部である帯状部材に跨るように腰掛ける使用者を保持体が取り囲むことで、使用者の周囲のいずれの方向にも保持体が存しており安全かつ安心して浮舟を使用できる。
【図面の簡単な説明】
【００１５】
【図１】本発明の一実施形態に係る浮舟（本浮舟）を示す平面図である。
【図２】本浮舟を示す底面図である。
【図３】本浮舟を示す背面図である。
【図４】図３の状態からファスナーカバー部を上方に向けてひっくり返した状態を示す本浮舟を示す背面図である。
【図５】図１のＡ−Ａ断面図である。
【図６】図１のＢ−Ｂ断面図である。
【図７】本浮舟を構成する浮体を示す平面図である。
【図８】浮体を示す正面図である。
【図９】図７のＦーＦ拡大断面図である。
【図１０】浮体集合体を示す図である。
【図１１】本浮舟の使用状態を示す平面図である。
【図１２】本浮舟の別の使用状態を示す断面図である。
【発明を実施するための形態】
【００１６】
以下、本発明の実施の形態を図面を参照して説明する。しかしながら、これらによって本発明は何ら制限されるものではない。
【００１７】
図１は、本発明の一実施形態に係る浮舟（本浮舟）１１を示す平面図であり、図２は本浮舟１１を示す底面図であり、図３は本浮舟１１を示す背面図（図１及び図２中、矢印Ｃ方向から見たところを示している）であり、図４は図３の状態からファスナーカバー部３７（詳細は後述）を上方に向けてひっくり返した状態を示す背面図であり、図５は図１のＡ−Ａ断面図であり、図６（ａ）は図１のＢ−Ｂ断面図であり、そして図６（ｂ）は図６（ａ）の円Ｋ中の拡大図である。図７は本浮舟１１を構成する浮体２１を示す平面図であり、図８は浮体２１を示す正面図（図７中、矢印Ｅ方向から見たところを示す）であり、そして図９は図７のＦーＦ拡大断面図である。図１乃至図９を参照して、本浮舟１１について説明する。なお、ここでは本浮舟１１は、魚釣り等に用いられるいわゆるフロータと呼ばれるものである。
本浮舟１１は、大まかには、４個の浮体２１（説明及び理解を容易にするため図によっては２１ａ、２１ｂ、２１ｃ、２１ｄのように区別して参照番号を付しているがいずれの浮体２１ａ、２１ｂ、２１ｃ、２１ｄも同じものである。）と、４個の浮体２１を覆う覆い部３１と、覆い部３１の略中央部分に形成された開口３３の底面側に架け渡すように配設された座部６１と、を備えてなる。
【００１８】
４個の浮体２１ａ、２１ｂ、２１ｃ、２１ｄは、いずれも同じ材質、形状及び寸法を有する同じ浮体２１によって形成されている。このため図７乃至図９にはこれらを区別することなく浮体２１として示している。図７乃至図９を参照して浮体２１について説明する。
浮体２１は、図９に示す通り、発泡スチロール（ここでは一立方メートル１９ｋｇブロック、自己消火性）により形成された浮体本体部２３と、浮体本体部２３の外面を覆うように形成された被覆層２５と、を有してなる。ここに被覆層２５は、日本合成化学工業株式会社製の商品名「エフレタン」（２液反応型、速硬化・無溶剤・低粘度液状ウレタン樹脂、ハードタイプ  ＳＨ−１００＆ＳＨ−４０００Ｎ）を用いて発泡スチロールの浮体本体部２３の外面に形成したものであり、詳細には、上記の「エフレタン」をスプレーガンにて吹き付け塗装を行うことで（スプレーガンから吹き付ける際、反応する２つの成分が混合され硬化し始める。）被覆層２５を形成した。このように浮体本体部２３の外面を被覆層２５が覆うことで、発泡スチロール製の浮体本体部２３の外面が水、紫外線、埃等に曝されないことに加え、浮体本体部２３が他の物と衝突した際に衝撃が和らぐので、浮体２１を高信頼性や長寿命とすることができる。
浮体２１は、ほぼ（直）六角柱形状をなしており、互いに略平行な両底面２２ａ、２２ｂと、側面２２ｃと、を有している。両底面２２ａ、２２ｂはいずれも同じ形状を有しており、具体的には、図７に示す通り、角度ｄ１＝角度ｄ２＝約９０度であり、角度ｄ３＝角度ｄ４＝角度ｄ５＝角度ｄ６＝約１３５度となる六角形状を有する。
【００１９】
覆い部３１により覆われた状態の浮体２１ａ、２１ｂ、２１ｃ、２１ｄは、図１０に示すよう配置されている。即ち、側面２２ｃを形成する６の平面のうち隣接面２２ｃ１、２２ｃ２が互いに面するよう４個の浮体２１が図１、図２、図１０のように組み合わせられている（４個の浮体２１のうち互いに隣接するもの同士（浮体２１ａと浮体２１ｃ、浮体２１ｃと浮体２１ｂ、浮体２１ｂと浮体２１ｄ、浮体２１ｄと浮体２１ａ）の隣接面２２ｃ１と隣接面２２ｃ２とが互いに面するよう４個の浮体２１（２１ａ、２１ｂ、２１ｃ、２１ｄ）が組み合わされている。この４個の浮体２１（２１ａ、２１ｂ、２１ｃ、２１ｄ）が組み合わされたものを「浮体集合体」という。）。なお、４個の浮体２１のうち互いに隣接するもの同士の隣接面２２ｃ１と隣接面２２ｃ２とは互いに面するよう配置されているが、互いに隣接する浮体２１同士は固定されていない。図１０（ａ）は浮体集合体２２１を底面２２ａ側から見た平面図（図１と同じ方向から見ている）であり、図１０（ｂ）は図１０（ａ）の矢印Ｇ方向から見た正面図である。浮体集合体２２１はほぼ（直）八角柱形状（浮体２１ａ、２１ｂ、２１ｃ、２１ｄの底面２２ａにより該（直）八角柱の両底面のうち一底面２２２ａが形成され、浮体２１ａ、２１ｂ、２１ｃ、２１ｄの底面２２ｂにより該（直）八角柱の両底面のうち他底面２２２ｂが形成されている）をなし、この該（直）八角柱の両底面２２２ａ、２２２ｂを連結する（直）四角柱形状の貫通孔２２３（図１０（ａ）参照）を有している。このように該（直）八角柱形状をなす浮体集合体２２１は、一底面２２２ａ、他底面２２２ｂ、側面２２２ｃそして内面２２２ｄを有している。
【００２０】
覆い部３１は、浮体集合体２２１を収容する覆い部本体分３５と、覆い部本体分３５に配設されたファスナー３６（スライドファスナー）を覆うように覆い部本体分３５に取り付けられたファスナーカバー部３７と、を有してなる。
覆い部本体分３５は、浮体集合体２２１の一底面２２２ａ、他底面２２２ｂ、側面２２２ｃ及び内面２２２ｄを覆うように形成されており、具体的には、一底面２２２ａを覆う一底面覆い部３２ａと、他底面２２２ｂを覆う他底面覆い部３２ｂと、側面２２２ｃを覆う側面覆い部３２ｃと、そして内面２２２ｄを覆う内面覆い部３２ｄと、を含んでなる。そして、覆い部本体分３５は、側面２２２ｃを巡るように配設されたファスナー３６を有しており（特に図４参照）、ファスナー３６の一端３６ａと他端３６ｂとの間をスライド自在に配設されたスライダー３６ｓをスライドさせることによって側面覆い部３２ｃの一底面側部３２ｃａと他底面側部３２ｃｂとの間（ファスナー３６によって一底面側部３２ｃａと他底面側部３２ｃｂとは分断されている）を自由に開閉できる。なお、ファスナー３６は、浮体集合体２２１の一底面２２２ａ及び他底面２２２ｂに平行な平面（該平面から一底面２２２ａまでの距離は該平面から他底面２２２ｂまでの距離よりも小さい。）に略沿うように配設されている。
【００２１】
ファスナーカバー部３７は、覆い部本体分３５の一底面覆い部３２ａから一定の距離の側面覆い部３２ｃ位置に配設されたファスナー３６を外側から覆うように設けられたものであり、詳細には、柔軟な帯状の部材の一側縁３７ｃ１（特に図６（ｂ）参照。該帯状の長手方向に沿った両縁のうちの一縁）が一底面覆い部３２ａの外縁近傍に取り付けられると共に該帯状の部材の他側縁３７ｃ２（特に図６（ｂ）参照。該帯状の長手方向に沿った両縁のうちの他縁）が側面覆い部３２ｃ（他底面側部３２ｃｂ）に近接することでファスナー３６を外側からファスナー３６に沿って覆うものである（図３に示す状態）。そして、ファスナーカバー部３７は一端３７ａと他端３７ｂとの間が分断されていることで分断部３７ｆが形成されており、この分断部３７ｆを利用して一端３７ａ及び他端３７ｂの一方又は両方を指で把持し図４のようにファスナーカバー部３７を上方にひっくり返すことができる。かかる図４の状態においてはファスナー３６が露出するので、上述の通り、ファスナー３６のスライダー３６ｓをスライドさせ一底面側部３２ｃａと他底面側部３２ｃｂとの間を自由に開閉できる（一底面側部３２ｃａと他底面側部３２ｃｂとの間を開放した状態では、浮体２１ａ、２１ｂ、２１ｃ、２１ｄを覆い部本体分３５から自由に出し入れできる。）。そして、図４の状態から図３の状態のようにファスナーカバー部３７を下方に垂下した状態にすることでファスナー３６が外側から覆われ保護される。
【００２２】
座部６１は、柔軟なシート状（三味線のばちに似た形状）の部材により形成されており、覆い部３１に形成された開口３３の下面側（他底面覆い部３２ｂ側）に架け渡すように配設されている。具体的には、座部６１の一縁６１ａ及び他縁６１ｂが覆い部本体分３５（内面覆い部３２ｄと他底面覆い部３２ｂとの間の部分）に取り付けられている。座部６１は、一縁６１ａの幅（一縁６１ａに沿った長さ）及び他縁６１ｂの幅（他縁６１ｂに沿った長さ）が大きく、一縁６１ａと他縁６１ｂとの間の幅が狭くなっており、これにより座部６１の両曲縁６１ｃ、６１ｃと覆い部本体分３５との間に脚貫入開口７１ａ、７１ｂが形成されている。
【００２３】
図１１は、本浮舟１１の使用状態を示す平面図（図１と同じ方向から本浮舟１１を見ている）であり、図１２（ａ）は図１１のＪ−Ｊ断面（本浮舟１１の使用者３０１は、図１１の使用者３０１の姿勢と異なると共に、使用者３０１は断面をあらわしていない。）を示している。なお、図１２（ｂ）は従来の浮舟（いわゆるフロータ）５０１を用いた場合の使用状態を示している。図１１及び図１２を参照して、本浮舟１１の使用状態について説明する。
図１１においては、池の水面４０１に浮かべた本浮舟１１の座部６１に使用者３０１が腰掛けることで、使用者３０１が水面４０１に浮遊した状態を示している。本浮舟１１の一底面覆い部３２ａが上面をなし、他底面覆い部３２ｂがなす下面は水中４０３に潜入している。使用者３０１の左脚は脚貫入開口７１ａに貫入され、使用者３０１の右脚は脚貫入開口７１ｂに貫入され、使用者３０１の臀部は座部６１により支持されている。使用者３０１が腰掛ける座部６１を複数（４個）の浮体２１（２１ａ、２１ｂ、２１ｃ、２１ｄ）が取り囲むことで、使用者３０１から見ていずれの方向にもひっくり返る危険性が小さく、本浮舟１１によれば安定した状態で使用者３０１が水面４０１に浮遊することができる。
また、複数（４個）の浮体２１（２１ａ、２１ｂ、２１ｃ、２１ｄ）が別体とされていると共に、これら複数（４個）の浮体２１（２１ａ、２１ｂ、２１ｃ、２１ｄ）が覆い部本体分３５内部においてある程度の範囲で互いに自由に変位可能であることから、図１２（ａ）の如く、使用者３０１が両腕３０３ａ、３０３ｂを一底面覆い部３２ａに載置して前屈みになっても、浮体２１ａが深く沈下することでこの状態を保持するための浮力を生じることができ、他の浮体２１（２１ｂ、２１ｃ、２１ｄ）の位置変化を小さくすることができることから、安定した状態を保持できる。これは図１２（ｂ）の従来の浮舟５０１において使用者３０１が両腕３０３ａ、３０３ｂを浮舟５０１に載置した場合、浮舟５０１全体が大きく傾き不安定な状態となっていることと対照をなす。なお、このことは水面４０１に波があるときに、従来の浮舟５０１では浮舟５０１全体の大きな姿勢変化を生じるのに対し、本浮舟１１では複数（４個）の浮体２１（２１ａ、２１ｂ、２１ｃ、２１ｄ）が覆い部本体分３５内部において波の状態に合わせてある程度の範囲で変位することにより本浮舟１１全体の姿勢を乱すことが小さく安定した状態を保持できる。
【００２４】
以上説明の通り、本浮舟１１は、発泡樹脂（ここでは発泡スチロール）製の浮力体（ここでは浮体２１ａの浮体本体部２３、浮体２１ｂの浮体本体部２３、浮体２１ｃの浮体本体部２３、浮体２１ｄの浮体本体部２３）と、該浮力体（浮体２１ａ、２１ｂ、２１ｃ及び２１ｄそれぞれの浮体本体部２３）を内部空間に収容し保持する保持体（ここでは覆い部３１）と、を有する浮き部を備える浮舟（いわゆるフローターと呼ばれるもの）である。
本浮舟１１においては、前記保持体（覆い部３１）が、前記浮力体（浮体２１ａ、２１ｂ、２１ｃ及び２１ｄそれぞれの浮体本体部２３）を前記内部空間に出し入れ可能な開口（ここでは一底面側部３２ｃａと他底面側部３２ｃｂとの間に形成されたファスナー３６により開閉される開口）と、該開口（ファスナー３６により開閉される開口）の該浮力体（浮体２１ａ、２１ｂ、２１ｃ及び２１ｄそれぞれの浮体本体部２３）の通過を禁止及び許容する開閉手段（ここではスライドファスナーであるファスナー３６）と、を有するものである。
本浮舟１１においては、１の保持体（覆い部３１）の内部空間に複数（ここでは４）の前記浮力体（浮体２１ａ、２１ｂ、２１ｃ及び２１ｄそれぞれの浮体本体部２３）が収容されるものである。
本浮舟１１においては、前記保持体（覆い部３１）が、前記開閉手段（ファスナー３６）を前記保持体（覆い部３１）の外側から覆う開閉手段カバー部（ここではファスナーカバー部３７）を有するものである。
本浮舟１１においては、前記浮力体（浮体２１ａ、２１ｂ、２１ｃ及び２１ｄそれぞれの浮体本体部２３）の表面を被覆する被覆層２５を有するものである。
本浮舟１１においては、前記保持体（覆い部３１）が布製（ここでは帆布）の袋体である。
【００２５】
本浮舟１１においては、本浮舟１１を水面４０１に浮かべた場合、使用者３０１が両脚を水中４０３に潜入させた状態で該使用者３０１が腰掛けることができる座部６１を備えるものである。
本浮舟１１においては、前記座部６１に腰掛けた使用者３０１の胴体３０７内にて互いに直交する水面４０１に平行な２の直線Ｌ１、Ｌ２であって、該２の直線Ｌ１、Ｌ２の一方の直線Ｌ１が該使用者３０１を通過する両側部分とも前記浮力体（浮体２１ｃ及び２１ｄの浮体本体部２３）を貫通すると共に、該２の直線Ｌ１、Ｌ２の他方の直線Ｌ２が該使用者３０１を通過する両側部分とも前記浮力体（浮体２１ａ及び２１ｂの浮体本体部２３）を貫通するものである該２の直線Ｌ１、Ｌ２が存するものである（以上、図１１を参照されたい。）。
本浮舟１１においては、前記座部６１に腰掛けた使用者３０１の腹部又は胸部の前側に前記浮力体（浮体２１ａの浮体本体部２３）が配設されるものである。
本浮舟１１においては、前記保持体（覆い部３１）が貫通孔（開口３３）を取り囲むようドーナツ状に形成され、前記座部６１が該貫通孔（開口３３）を横切るように設けられた帯状部材（ここでは三味線のばちに似た形状の柔軟なシート状の部材）を含んでなり、腹部又は胸部を該貫通孔（開口３３）に貫入する使用者３０１が該帯状部材（三味線のばち形状の柔軟なシート状部材）に跨るように腰掛けるものである。
【符号の説明】
【００２６】
１１                本浮舟
２１、２１ａ、２１ｂ、２１ｃ、２１ｄ  浮体
２２ａ、２２ｂ      底面
２２ｃ              側面
２２ｃ１、２２ｃ２  隣接面
２３                浮体本体部
２５                被覆層
３１                覆い部
３２ａ              一底面覆い部
３２ｂ              他底面覆い部
３２ｃ              側面覆い部
３２ｃａ            一底面側部
３２ｃｂ            他底面側部
３２ｄ              内面覆い部
３３                開口
３５                覆い部本体分
３６                ファスナー
３６ａ              一端
３６ｂ              他端
３６ｓ              スライダー
３７                ファスナーカバー部
３７ａ              一端
３７ｂ              他端
３７ｃ１            一側縁
３７ｃ２            他側縁
３７ｆ              分断部
６１                座部
６１ａ              一縁
６１ｂ              他縁
６１ｃ              曲縁
７１ａ、７１ｂ      脚貫入開口
２２１                浮体集合体
２２２ａ              一底面
２２２ｂ              他底面
２２２ｃ              側面
２２２ｄ              内面
２２３                貫通孔
３０１                使用者
３０３ａ、３０３ｂ    両腕
３０７                胴体
４０１                水面
４０３                水中
５０１                従来の浮舟
【図１】
2014218177.tif 000003
【図２】
2014218177.tif 000004
【図３】
2014218177.tif 000005
【図４】
2014218177.tif 000006
【図５】
2014218177.tif 000007
【図６】
2014218177.tif 000008
【図７】
2014218177.tif 000009
【図８】
2014218177.tif 000010
【図９】
2014218177.tif 000011
【図１０】
2014218177.tif 000012
【図１１】
2014218177.tif 000013
【図１２】
2014218177.tif 000014